(57)【要約】  部品実装ライン（１１）を構成する複数台の部品実装機（１２９の前面カバー（１３）の上部側部分に、操作モニタ（１４）を着脱可能にセットするモニタセット部（１５）が形成されている。操作モニタ（１４）は、前記複数台の部品実装機（１２）の各々の操作部及び表示部として各部品実装機（１２）に共通して使用できるようになっている。モニタセット部（１５）には、操作モニタ（１４）のセット時に該操作モニタ（１４）との間で通信するインターフェース部（１６）が設けられ、インターフェース部（１６）は、操作モニタ（１４）のセット時に該操作モニタ（１４）に給電するように構成されている。操作モニタ（１４）は、同時に操作可能な複数台の部品実装機（１２）を選択する手段を有し、１台の操作モニタ（１４）で同時に複数台の部品実装機１２を操作できるように構成されている。
2014167683.tif 000002
【特許請求の範囲】
【請求項１】
回路基板の搬送経路に沿って配列された複数台の装置を使用して回路基板に部品を実装する部品実装ラインにおいて、  前記複数台の装置の各々の操作部及び表示部として各装置に共通して使用可能な操作モニタを少なくとも１台備え、  前記複数台の装置の各々には、前記操作モニタを着脱可能にセットするモニタセット部と、該操作モニタのセット時に該操作モニタとの間で通信するインターフェース部とが設けられていることを特徴とする部品実装ライン。
【請求項２】
前記インターフェース部は、前記操作モニタのセット時に該操作モニタに給電するように構成されていることを特徴とする請求項１に記載の部品実装ライン。
【請求項３】
前記インターフェース部は、無線通信可能に構成され、  前記操作モニタは、電源となるバッテリを内蔵し、操作・表示の対象となる装置の前記モニタセット部にセットしない状態でも、当該装置の前記インターフェース部との間で無線通信して操作及び表示できるように構成されていることを特徴とする請求項１又は２に記載の部品実装ライン。
【請求項４】
前記操作モニタは、同時に操作可能な複数台の装置を選択する手段を有し、１台の操作モニタで同時に複数台の装置を操作できるように構成されていることを特徴とする請求項１乃至３のいずれかに記載の部品実装ライン。
【請求項５】
前記操作モニタは、該操作モニタをセットした装置とは異なる装置を操作・表示の対象として選択する手段を有し、該操作モニタをセットした装置とは異なる装置を該操作モニタで操作できるように構成されていることを特徴とする請求項１乃至４のいずれかに記載の部品実装ライン。
【発明の詳細な説明】
【技術分野】
【０００１】  本発明は、回路基板の搬送経路に沿って配列された複数台の装置を使用して回路基板に部品を実装する部品実装ラインに関する発明である。
【背景技術】
【０００２】  一般に、部品実装ラインでは、回路基板の搬送経路に沿って半田印刷機、部品実装機、外観検査機等の複数台の装置が配列され、各装置にそれぞれ操作モニタ（表示機能と操作機能）が設けられ、各装置毎に作業者が各装置の設定情報等のモニタ表示を見て確認しながら、適宜、各装置の設定情報等をモニタ画面のタッチ操作等で入力できるようになっている。【０００３】  この様な部品実装ラインでは、各装置にそれぞれ操作モニタが設けられているため、部品実装ラインのモニタ数が増加してコスト高になるという欠点があった。【０００４】  そこで、本出願人は、特許文献１（特開２０１２−２２７２０５号公報）に記載したように、部品実装ラインの複数台の装置と無線ＬＡＮで接続されるタブレットコンピュータを用意し、前記複数台の装置の全部又は一部の装置の表示機能及び操作機能を前記タブレットコンピュータに持たせて、該タブレットコンピュータの表示画面に各装置の表示／操作画面を表示させることで、前記複数台の装置の全部又は一部の装置の表示機能及び操作機能（操作モニタ）を省略したことを特徴とする発明を出願している。
【先行技術文献】
【特許文献】
【０００５】
【特許文献１】特開２０１２−２２７２０５号公報
【発明の概要】
【発明が解決しようとする課題】
【０００６】  上記特許文献１の構成では、１台のタブレットコンピュータで複数台の装置を操作できる利点があるが、作業者がタブレットコンピュータを常時携帯しなければならないため、作業者が部品補給作業（テープフィーダの取り替えやトレイの取り替え等）を行う際に、両手を使って作業するには、タブレットコンピュータを装置周辺の適当な場所に置いて作業する必要があり、タブレットコンピュータの表示画面の情報を確認しながら作業するのに不便であった。【０００７】  そこで、本発明が解決しようとする課題は、部品実装機の各装置の表示・操作に関するコスト性と作業性とを両立できるようにすることである。
【課題を解決するための手段】
【０００８】  上記課題を解決するために、本発明は、回路基板の搬送経路に沿って配列された複数台の装置を使用して回路基板に部品を実装する部品実装ラインにおいて、前記複数台の装置の各々の操作部及び表示部として各装置に共通して使用可能な操作モニタを少なくとも１台備え、前記複数台の装置の各々には、前記操作モニタを着脱可能にセットするモニタセット部と、該操作モニタのセット時に該操作モニタとの間で通信するインターフェース部とを設けた構成としたものである。ここで、インターフェース部は、無線、有線のいずれの方式であっても良い。【０００９】  この構成では、複数台の装置の各々に共通して使用可能な操作モニタを、操作・表示の対象となる装置のモニタセット部にセットすれば、当該操作モニタと当該装置との間がインターフェース部を介して通信可能な状態となり、作業者が当該操作モニタに表示された情報を確認しながら当該装置を操作できる。しかも、操作モニタを装置のモニタセット部にセットすれば、作業者が部品補給作業（テープフィーダの取り替えやトレイの取り替え等）を行う際に、両手が自由に使える状態となり、しかも、操作モニタに表示された情報を確認しながら容易に作業を行うことができる。更に、部品実装ラインの装置の台数に比べて操作モニタの台数が少なくて済み、その分、部品実装ラインの設備コストを低減できると共に、部品実装ラインの装置の台数とは関係なく、作業者の人数等に応じて操作モニタの台数を自由に変更できる。【００１０】  この場合、インターフェース部は、操作モニタのセット時に該操作モニタに給電するように構成すると良い。このようにすれば、操作モニタに電源となるバッテリが内蔵されていない場合でも、操作モニタを装置のモニタセット部にセットすることで、インターフェース部を介して操作モニタに給電して当該操作モニタを操作・表示可能な状態にすることができる。一方、操作モニタにバッテリが内蔵されている場合は、操作モニタを装置のモニタセット部にセットすることで、バッテリに充電することができる。【００１１】  更に、インターフェース部を無線通信可能に構成し、バッテリを内蔵した操作モニタを、操作・表示の対象となる装置のモニタセット部にセットしない状態でも、当該装置のインターフェース部との間で無線通信して操作及び表示できるように構成しても良い。このようにすれば、操作・表示の対象となる装置から離れた位置からでも作業者が操作モニタの表示を見ながら操作入力して当該装置を遠隔操作することができる。【００１２】  また、操作モニタは、同時に操作可能な複数台の装置を選択する手段を有し、１台の操作モニタで同時に複数台の装置を操作できるように構成しても良い。このようにすれば、複数台の装置に同じ操作信号を入力する場合に、１箇所で操作モニタを操作して複数台の装置に同じ操作信号を送信できるため、複数台の装置に順番に操作モニタを付け替えて操作するという手間のかかる作業を行わずに済み、操作性を向上できる。【００１３】  また、操作モニタは、該操作モニタをセットした装置とは異なる装置を操作・表示の対象として選択する手段を有し、該操作モニタをセットした装置とは異なる装置を該操作モニタで操作できるように構成しても良い。このようにすれば、いずれかの部品実装機のモニタセット部にセットした操作モニタを付け替えずに、複数台の部品実装機の中から任意に選択した部品実装機を操作することができる。
【図面の簡単な説明】
【００１４】
【図１】図１は本発明の一実施例の部品実装ラインの構成を示す正面図である。
【図２】図２は部品実装機のモニタセット部の構成を示す縦断側面図である。
【発明を実施するための形態】
【００１５】  以下、本発明を実施するための形態を具体化した一実施例を図面を用いて説明する。  図１に示すように、部品実装ライン１１は、回路基板の搬送経路に沿って複数台の部品実装機１２（装置）と、部品実装に関連する作業を行う実装関連機（部品実装機以外の装置）を配列して構成されている。ここで、実装関連機は、例えば、半田印刷機、外観検査装置、リフロー装置、接着剤塗布装置等である。
【００１６】  各部品実装機１２の内部構造は、図示はしないが、電子部品を供給するテープフィーダ、トレイフィーダ等の部品供給装置と、回路基板を搬送するコンベアと、回路基板に電子部品を実装する実装ヘッドと、該実装ヘッドに吸着した電子部品を撮像する撮像装置等が設けられている。
【００１７】  図２に示すように、各部品実装機１２の前面カバー１３の上部側部分が傾斜面に形成され、その傾斜面の一部分を少し凹ませることで、操作モニタ１４を着脱可能にセットするモニタセット部１５が形成されている。操作モニタ１４は、移動表示端末（タブレット、スマートフォン等）により構成され、部品実装ライン１１を構成する複数台の部品実装機１２の各々の操作部及び表示部として各部品実装機１２に共通して使用できるように構成されている。操作モニタ１４の台数は、部品実装ライン１１を構成する部品実装機１２の台数とは関係なく、少なくとも１台あれば良く、作業者の人数等に応じて操作モニタ１４の台数を変更すれば良い。
【００１８】  モニタセット部１５には、操作モニタ１４のセット時に該操作モニタ１４との間で通信するインターフェース部１６が設けられている。インターフェース部１６は、コネクタで接続して有線通信するようにしても良いが、本実施例では、操作モニタ１４との間で無線通信するように構成されている。例えば、インターフェース部１６側と操作モニタ１４の両方に、Ｂｌｕｅｔｏｏｔｈ（登録商標）、Ｗｉ−Ｆｉ（登録商標）等のデバイスを設けて、操作モニタ１４をインターフェース部１６に所定距離以内に近付けたときに、ＮＦＣ（Near Field Communication：近接距離無線通信）を使用して端末間でペアリング（認証）だけを行い、実際の通信は、より高速通信できるＢｌｕｅｔｏｏｔｈやＷｉ−Ｆｉに引き継ぎ、操作モニタ１４の画面表示と操作を可能にするようにしても良い。
【００１９】  或は、部品実装ライン１１の各部品実装機１２のインターフェース部１６と操作モニタ１４との間でＩＥＥＥ８０２．１１ｎ等の無線ＬＡＮで通信するように構成して、各部品実装機１２から離れた位置からでも、操作・表示の対象となる部品実装機１２との間で無線通信して操作及び表示できるようにしても良い。この場合は、操作モニタ１４に電源となるバッテリ（図示せず）を内蔵するようにすれば良い。このようにすれば、操作・表示の対象となる部品実装機１２から離れた位置からでも作業者が操作モニタ１４の表示を見ながら操作入力して当該部品実装機１２を遠隔操作することができる。
【００２０】  また、本実施例では、インターフェース部１６は、操作モニタ１４のセット時に該操作モニタ１４に給電するように構成されている。このようにすれば、操作モニタ１４にバッテリが内蔵されていない場合でも、操作モニタ１４をモニタセット部１５にセットすることで、インターフェース部１６を介して操作モニタ１４に給電して当該操作モニタ１４を操作・表示可能な状態にすることができる。一方、操作モニタ１４にバッテリが内蔵されている場合は、操作モニタ１４をモニタセット部１５にセットすることで、バッテリに充電することができる。
【００２１】  更に、本実施例では、操作モニタ１４は、同時に操作可能な複数台の部品実装機１２を選択する手段を有し、１台の操作モニタ１４で同時に複数台の部品実装機１２を操作できるように構成されている。このようにすれば、複数台の部品実装機１２に同じ操作信号を入力する場合に、１箇所で操作モニタ１４を操作して複数台の部品実装機１２に同じ操作信号を送信できるため、複数台の部品実装機１２に順番に操作モニタ１４を付け替えて操作するという手間のかかる作業を行わずに済み、操作性を向上できる。
【００２２】  また、操作モニタ１４をセットした部品実装機１２とは、異なる部品実装機１２を選択して当該異なる部品実装機１２を操作できるようにしても良い。このようにすれば、いずれかの部品実装機１２のモニタセット部１５にセットした操作モニタ１４を付け替えずに、複数台の部品実装機１２の中から任意に選択した部品実装機１２を操作することができる。
【００２３】  図２に示すように、モニタセット部１５の下端部には、操作モニタ１４を受け止めるモニタ受け部１７が設けられ、モニタセット部１５の表面には、操作モニタ１４を滑り止めする手段として、ゴム等の高摩擦部材で形成した滑り止め部１８が設けられている。
【００２４】  以上説明した本実施例によれば、複数台の部品実装機１２の各々に共通して使用可能な操作モニタ１４を、操作・表示の対象となる部品実装機１２のモニタセット部１５にセットするだけで、当該操作モニタ１４と当該部品実装機１２との間がインターフェース部１６を介して通信可能な状態となり、作業者が当該操作モニタ１４に表示された情報を確認しながら当該部品実装機１２を操作できる。しかも、操作モニタ１４を部品実装機１２のモニタセット部１５にセットすれば、作業者が部品補給作業（テープフィーダの取り替えやトレイの取り替え等）を行う際に、両手が自由に使える状態となり、しかも、操作モニタ１４に表示された情報を確認しながら容易に作業を行うことができる。更に、部品実装ライン１１の部品実装機１２の台数に比べて操作モニタ１４の台数が少なくて済み、その分、部品実装ライン１１の設備コストを低減できると共に、部品実装ライン１１を構成する部品実装機１２の台数とは関係なく、作業者の人数等に応じて操作モニタ１４の台数を自由に変更できる。
【００２５】  この場合、操作の権限を特定の作業者又は管理者のみに限定したい場合は、操作の権限のある人のみに操作モニタ１４を持たせておけば、操作の権限のない人が不用意に操作することを防止できる。
【００２６】  尚、本発明は、本実施例に限定されず、部品実装ラインを構成する半田印刷機、外観検査装置、リフロー装置、接着剤塗布装置等の実装関連機（部品実装機以外の装置）にも、モニタセット部を設けて、操作モニタを着脱可能にセットするようにしても良く、また、モニタセット部の位置を変更しても良い等、要旨を逸脱しない範囲内で種々変更して実施できることは言うまでもない。
【符号の説明】
【００２７】  １１…部品実装ライン、１２…部品実装機（装置）、１３…前面カバー、１４…操作モニタ、１５…モニタセット部、１６…インターフェース部、１７…モニタ受け部、１８…滑り止め部
【図１】
2014167683.tif 000003
【図２】
2014167683.tif 000004
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
回路基板の搬送経路に沿って配列された複数台の装置を使用して回路基板に部品を実装する部品実装ラインにおいて、
前記複数台の装置の各々の操作部及び表示部として各装置に共通して使用可能な操作モニタを少なくとも１台備え、
前記複数台の装置の各々には、前記操作モニタを着脱可能にセットするモニタセット部と、該操作モニタのセット時に該操作モニタとの間で通信するインターフェース部とが設けられ、
前記インターフェース部は、前記操作モニタとの間で無線通信可能に構成され、
前記操作モニタは、電源となるバッテリを内蔵し、操作・表示の対象となる装置の前記モニタセット部にセットしない状態でも、当該装置の前記インターフェース部との間で無線通信して操作及び表示できるように構成され、
前記モニタセット部は、前記各装置の前面カバーの上部側部分に形成された傾斜面に前記操作モニタを載置するように設けられていることを特徴とする部品実装ライン。
【請求項２】
前記インターフェース部は、前記操作モニタのセット時に該操作モニタの前記バッテリに充電するように構成されていることを特徴とする請求項１に記載の部品実装ライン。
【請求項３】
前記操作モニタは、同時に操作可能な複数台の装置を選択する手段を有し、１台の操作モニタで同時に複数台の装置を操作できるように構成されていることを特徴とする請求項１又は２に記載の部品実装ライン。
【請求項４】
前記操作モニタは、該操作モニタをセットした装置とは異なる装置を操作・表示の対象として選択する手段を有し、該操作モニタをセットした装置とは異なる装置を該操作モニタで操作できるように構成されていることを特徴とする請求項１乃至３のいずれかに記載の部品実装ライン。
【手続補正２】
【補正対象書類名】明細書
【補正対象項目名】０００７
【補正方法】変更
【補正の内容】
【０００７】
そこで、本発明が解決しようとする課題は、部品実装ラインの各装置の表示・操作に関するコスト性と作業性とを両立できるようにすることである。
【手続補正３】
【補正対象書類名】明細書
【補正対象項目名】０００８
【補正方法】変更
【補正の内容】
【０００８】
上記課題を解決するために、本発明は、回路基板の搬送経路に沿って配列された複数台の装置を使用して回路基板に部品を実装する部品実装ラインにおいて、前記複数台の装置の各々の操作部及び表示部として各装置に共通して使用可能な操作モニタを少なくとも１台備え、前記複数台の装置の各々には、前記操作モニタを着脱可能にセットするモニタセット部と、該操作モニタのセット時に該操作モニタとの間で通信するインターフェース部とを設け、前記インターフェース部は、前記操作モニタとの間で無線通信可能に構成され、前記操作モニタは、電源となるバッテリを内蔵し、操作・表示の対象となる装置の前記モニタセット部にセットしない状態でも、当該装置の前記インターフェース部との間で無線通信して操作及び表示できるように構成され、前記モニタセット部は、前記各装置の前面カバーの上部側部分に形成された傾斜面に前記操作モニタを載置するように設けられていることを特徴とするものである。
【手続補正４】
【補正対象書類名】明細書
【補正対象項目名】０００９
【補正方法】変更
【補正の内容】
【０００９】
この構成では、複数台の装置の各々に共通して使用可能な操作モニタを、操作・表示の対象となる装置のモニタセット部に載置してセットすれば、当該操作モニタと当該装置との間がインターフェース部を介して通信可能な状態となり、作業者が当該操作モニタに表示された情報を確認しながら当該装置を操作できる。しかも、操作モニタを装置のモニタセット部にセットすれば、作業者が部品補給作業（テープフィーダの取り替えやトレイの取り替え等）を行う際に、両手が自由に使える状態となり、しかも、操作モニタに表示された情報を確認しながら容易に作業を行うことができる。更に、部品実装ラインの装置の台数に比べて操作モニタの台数が少なくて済み、その分、部品実装ラインの設備コストを低減できると共に、部品実装ラインの装置の台数とは関係なく、作業者の人数等に応じて操作モニタの台数を自由に変更できる。
更に、インターフェース部を操作モニタとの間で無線通信可能に構成し、バッテリを内蔵した操作モニタを、操作・表示の対象となる装置のモニタセット部にセットしない状態でも、当該装置のインターフェース部との間で無線通信して操作及び表示できるように構成しているため、操作・表示の対象となる装置から離れた位置からでも作業者が操作モニタの表示を見ながら操作入力して当該装置を遠隔操作することができる。
【手続補正５】
【補正対象書類名】明細書
【補正対象項目名】００１０
【補正方法】変更
【補正の内容】
【００１０】
この場合、インターフェース部は、操作モニタのセット時に該操作モニタのバッテリに充電するように構成すると良い。このようにすれば、操作モニタを装置のモニタセット部にセットすることで、操作モニタのバッテリに充電することができる。
【手続補正６】
【補正対象書類名】明細書
【補正対象項目名】００１１
【補正方法】削除
【補正の内容】
【国際調査報告】
2014167683.tif 000005
2014167683.tif 000006
2014167683.tif 000007
2014167683.tif 000008